(57)【要約】      （修正有）【課題】睡眠中に寝位置や頭の向きを変える人に対しても、横臥時の耳や肩に加わる力、及び仰臥時の頭や首に加わる力を分散させうつ伏せ時の呼吸をし易くし、加えて持ち運びが容易な多機能まくらを提供する。【解決手段】柔かい素材で作られた円筒をドーナッツ状に丸めた円筒２に空気、布、プラスチック等の詰め物を封入し、円筒２の外周に沿って面ファスナー３を貼り付けたドーナッツ状小まくら１を複数個用意する。それらのドーナッツ状小まくら１を平面状に並べ隣り合う小まくら同志を面ファスナーで繋げて一つのまくら１００として利用する。また複数個の小まくらを立てて並べそれらを別の面ファスナーで固定し別の形態のまくらとしても利用できる。【選択図】図３
2020099551.tif 000002
【特許請求の範囲】
【請求項１】
柔かい素材で作られた円筒をドーナッツ状に丸めた容器内に、空気、布、プラスチック等の詰め物を封入し、
円筒の外周に沿って面ファスナーを貼りつけた小まくらを、
１個又は複数個用いたことを特徴とする睡眠用まくら。
【請求項２】
請求項１に記載の小まくらを用いて、小まくらを平面状に複数個並べ、
隣り合う小まくら同志を面ファスナーでくっ付けて、一体化したことを特徴とする睡眠用まくら。
【請求項３】
請求項１に記載の小まくらを用いて、小まくらを複数個立てて並べ、
各小まくらの面ファスナーに、前後両側から別の面ファスナーを貼り合わせることにより、一体化したことを特徴とする睡眠用まくら。
【発明の詳細な説明】
【技術分野】
【０００１】
本発明は睡眠用まくらに係わり、寝相が良い人・悪い人に関係なく、横臥時の耳や肩への圧迫力及び仰臥時の頭や首への圧迫力を弱めることができるだけでなく、うつ伏せ時の呼吸を容易にすることができ、且つ分解・組み立てが容易な、多機能まくらに関する。
【背景技術】
【０００２】
睡眠は、人間が生きて行く上で非常に大切な毎日の行為であり、快適な睡眠を得るために、色々なタイプのまくらが考案され、実用化されている。
【０００３】
横臥用まくらでは、耳や肩に加わる力を分散させることが必要であり、仰臥用まくらでは、頭や首に加わる力を分散させさせることが必要である。
また、幼児用まくらでは、幼児がうつ伏せに寝て位置を変えても、楽に呼吸できることが必要となる。
【０００４】
まくらに対する好みは人によって異なり、マイまくら（自分専用のまくら）でないとなかなか寝付けないと言う人もいる。そのような人達にとっては、旅行や出張をする際に、小さく分解してマイまくらを持って行けることが必要となる。
【０００５】
横臥時に耳への圧迫力を弱めるための耳用まくら、仰臥時に頭や首等への圧迫力を分散させるための多機能まくら、うつ伏せ時に呼吸をし易くしたうつ伏せ用まくら、及び持ち運びが容易な空気まくらとしては、下記の文献のまくらが知られている。
【先行技術文献】
【特許文献】
【０００６】
【特許文献１】実開平０３−０５１０５３号公報
【特許文献２】特開２００２−０９５５７０号公報
【特許文献３】実開昭５０−１３３３１７号公報
【特許文献４】実登３１６３９３４号公報
【０００７】
上記特許文献１に記載の耳用まくらは、横臥時に耳に加わる力を分散させること、及び持ち運びが便利なこと、を目的として考案されたまくらである。
【０００８】
上記特許文献２に記載の多機能まくらは、横臥時や仰臥時に耳、肩、腰、頭、首等に加わる力を分散させることができ、且つ持ち運びが便利であるという、多くの機能を持ったまくらであるとされている。
【０００９】
上記特許文献３に記載のまくらは、うつ伏せに寝ている時の呼吸をし易くしようとしたまくらである。
【００１０】
上記特許文献４に記載のまくらは、特殊な空気注入部材と送出部材を有する空気まくらであり、持ち運びが便利で、横臥時の耳に加わる力及び仰臥時の後頭部に加わる力を分散させることが可能なまくらである、とされている。
【発明の概要】
【発明が解決しようとする課題】
【００１１】
上記特許文献１に記載のまくらは、横臥時の耳に加わる力を分散させることができるまくらであり、特許文献３に記載のまくらは、うつ伏せ時の呼吸をし易くしたまくらであるが、両まくら共、寝相が悪く動き回る人に対しての対策がなされていない。
又、上記特許文献２及び４に記載のまくらは、仰臥時の頭や首に加わる力を分散させると共に、横臥時の耳、肩、腰等に加わる力を分散させることができるが、寝相が悪く動き回る人に対しての対策がなされていない。
【００１２】
（発明の目的）
本発明は、寝相が良い人のみならず、寝相が悪く、寝ている最中に色々と寝位置や頭の向きを変える人（幼児を含む）を対象としており、横臥時には耳や肩に加わる力を分散させ、仰臥時には頭や首に加わる力を分散させるだけでなく、うつ伏せ時には呼吸をし易くさせるような機能を持ち、且つ持ち運びの際には小さく分解でき、再組み立てが簡単であるような、多くの機能を持ったまくらを提供することを、その目的とする。
【課題を解決するための手段】
【００１３】
上記目的を達成するために、本発明に係わるまくらでは、内部に詰め物を封入したドーナッツ状円筒の外周円に沿って面ファスナー（マジックテープ（登録商標第１３２８１６３号）のようなもの）を貼り、この小さなまくら（これをドーナッツ状小まくら、又は単に小まくらと呼ぶ）を平面的に多数個並べ、接触する小まくら同志を面ファスナーで貼り合わせて一つの大きなまくら（以後、単にまくらと呼ぶ）とした。
【００１４】
このまくらは厚さが薄いので、幼児用として使用する時には、寝床の上に直接置いて使用し、大人用として使用する時には、通常の大き目のまくらの上に置いて使用する。
【発明の効果】
【００１５】
耳がすっぽり入る位の孔を持つドーナッツ状小まくらにより、横臥時の耳や肩に加わる力を分散させ、仰臥時の頭や首に加わる力を分散させることができ、且つうつ伏せ時の呼吸をし易くすることができる。このドーナッツ状小まくらを多数個平面的に並べているので、人が寝ている最中に寝位置や頭の向きを変えても、耳・肩や頭・首に加わる力を分散させる効果や、うつ伏せ時の呼吸をし易くする効果は変わらない。
又、このまくらは、小さく分解して容易に持ち運ぶことができ、再組み立ても簡単である。
【図面の簡単な説明】
【００１６】
【図１】本発明のドーナッツ状小まくらの上面図及び側面断面図を示す。
【図２】ドーナッツ状小まくらを平面的に横に並べて作った、本発明のまくらの上面図及び側面図である。
【図３】ドーナッツ状小まくらを平面的に縦横に並べて作った、本発明のまくらの上面図である。
【図４】本発明のまくらの上で、大人が横臥している場合を示す。
【図５】本発明のまくらの上で、幼児がうつ伏せに寝ている場合を示す。
【図６】本発明のドーナッツ状小まくらを立てて用いた、仰臥用まくらの正面図及び側面図を示している。
【発明を実施するための形態】
【００１７】
（第１実施形態）
以下、本発明の第１実施形態に係わるまくら１００ついて、図１乃至図５を参照して説明する。
【００１８】
図１は、本発明の構成要素である、ドーナッツ状小まくら１の上面図及側面断面図を示したものである。このドーナッツ状小まくら１は、空気又は詰め物を封入しドーナッツ状に丸められた円筒２と、円筒２の外周に沿って貼り付けられた面ファスナー３から成っている。
ドーナッツ状円筒２としては、弾力性のある素材で作られた円筒２１をドーナッツ状に丸め、円筒内部に空気２３を封入したタイプのもの（図（ａ））、図（ａ）タイプの円筒２１に空気注入・排出孔２６を設け、海水浴用浮き袋のように円筒内部の空気２３を注入・排出できるようにしたタイプのもの（図（ｂ））、図（ａ）タイプの円筒２１の内部に布やプラスチック等の詰め物２４を封入したタイプのもの（図（ｃ））、及び弾力性のない素材で作られた円筒２２の内部にゴムやウレタンのような弾力性のある詰め物２５を詰め込んで、ドーナッツ状に丸めたタイプのもの（図（ｄ））が考えられる。
それ以外に、弾力性を持つ円筒２１に弾力性のある詰め物２５を封入してもよい（図示せず）。
【００１９】
ドーナッツ状円筒２の外周に沿って貼られた面ファスナー３によって、ドーナッツ状小まくら１同志を簡単にくっ付けることができる。
【００２０】
図２は、複数のドーナッツ状小まくら１を、平面的に横一列に繋げた例を示している。各小まくら１を、その面ファスナー３同志でくっ付けるので、繋げるのが簡単で、剥がすことも容易である。
【００２１】
図３は、小まくら１を平面的に縦横に繋げた例を示す。
図２、図３のように、複数のドーナッツ状小まくら１を平面的にくっ付け合わせて作ったまくらを、本発明のまくら１００と呼ぶことにする。
【００２２】
図４は、通常のまくら５の上、及び肩が寝床６に接触する位置に本発明のまくら１００を置いて、その上に大人７が横臥している状態を示している。図４より、耳及び肩に加わる力が分散されることが分かる。
【００２３】
図５は、寝床６の上に本発明のまくら１００を置いて、その上に幼児８がうつ伏せに寝ている状態を示したものである。このように寝ても、呼吸がし易くなることが分かる。幼児があちこちに動き回ってうつ伏せに寝ても、どこかの小まくらの上で図５のように寝ることが可能である。
【００２４】
（第２実施形態）
以下、本発明の第２実施形態に係わるまくら２００を、図１、図６を用いて説明する。
【００２５】
図６は、図１に示したドーナッツ状小まくら１を複数個立てて並べ、全体を面ファスナー４で水平に固定した状態を示している。このようにして作られた本発明のまくら２００は、通常の籾殻入りまくらと似たような形をしており、通常のまくらと同じ様に使用できる。ドーナッツ状小まくら１には、ドーナッツの中央部に空洞があるので、このまくら２００はかなり柔かいまくらとなり、頭や首に加わる力を小さくすることができる。
【００２６】
図２、図３のまくら１００、及び図６のまくら２００において、小まくら１として図１（ｂ）に示すような空気を注入・排出できるタイプのものを用い、更に構成要素単位（小まくら）に分解すれば、まくらは非常に小さくなり、手軽に旅行や出張に持って行くことが可能となる。
【００２７】
寝相が良い人については、ドーナッツ状小まくら１を１個だけで使用してもよい。その場合、図１（ａ）〜（ｄ）のどのタイプのものを用いても、持ち運びが容易である。
【産業上の利用可能性】
【００２８】
本発明の多機能を有するまくらは、大人が用いても幼児が用いても、又、横臥用に用いても仰臥用に用いても、耳、肩、頭、首等に加わる力を分散させることができ、うつ伏せ時には呼吸がし易くなるので、多くの人々に広く利用される可能性を有する。
【符号の説明】
【００２９】
１００・・・・第１実施形態における多機能まくら
２００・・・・第２実施形態における多機能まくら
１・・・・ドーナッツ状小まくら
２・・・・ドーナッツ状円筒
２１・・・・ドーナッツ状弾性円筒
２２・・・・弾性を持たないドーナッツ状円筒容器
２３・・・・空気
２４・・・・布、プラスチック等の詰め物
２５・・・・ゴム、ウレタンフォーム等の弾性を持つ詰め物
２６・・・・空気注入・排出口（弁を有する）
３・・・・面ファスナー
４・・・・面ファスナー
５・・・・通常のまくら
６・・・・寝床
７・・・・横臥している人
８・・・・うつ伏せの幼児
【図１】
2020099551.tif 000003
【図２】
2020099551.tif 000004
【図３】
2020099551.tif 000005
【図４】
2020099551.tif 000006
【図５】
2020099551.tif 000007
【図６】
2020099551.tif 000008